(57)【特許請求の範囲】
【請求項１】
上方開口の凹部の内底面に、中央接点及びこれから等距離の位置に配された二つの周辺接点、また上記周辺接点の外側位置に少なくとも一つの外側接点部を備えた絶縁樹脂製のスイッチケースと、上方に球面状に湾曲した円板部及びその外方に一定の間隔をあけて可撓性を有する細巾の連結部で同心円状に繋がれたリング状部とそのリング状部から外側に突出形成された突出部を有し、上記リング状部が上記スイッチケースの凹部内に設けられた段状の可動接点受け部に載せられて上記円板部の外周が上記各周辺接点の上方に所定の間隔をあけて位置すると共に、上記突出部が上記外側接点部に常接状態で配された弾性金属板製の可動接点と、上記スイッチケースの凹部を覆うように配された中央貫通孔付きのシートと、上記シート上から上記スイッチケースに結合され、上記シートの中央貫通孔内の位置に応じた上記可動接点の円板部部分に対しその上方に所定間隔を維持して配される上下動可能な押圧部を有するカバー端子付きの金属カバーとからなるプッシュオンスイッチ。
【請求項２】
外側接点部が、周辺接点の一方側に導通状態で配された請求項１記載のプッシュオンスイッチ。
【請求項３】
シートの中央貫通孔の周囲下面を、全周に亘る円形リング状で可動接点の円板部上に粘着保持させた請求項１記載のプッシュオンスイッチ。
【発明の詳細な説明】
【技術分野】
【０００１】
本発明は、主としてカメラ、ビデオカメラ等の各種電子機器の入力操作部等に使用される多段動作仕様のプッシュオンスイッチに関するものである。
【背景技術】
【０００２】
従来のこの種のプッシュオンスイッチの中で、軽く押圧操作するとまず第一スイッチがオンし、さらに強く押圧操作すると続いて第二スイッチがオンする二段動作仕様のものがカメラのシャッター部分やビデオカメラの録画開始ボタンなどの入力操作部に多く用いられており、上記形態のものを以下に説明する。
【０００３】
図１１は従来のプッシュオンスイッチの外観斜視図、図１２は同分解斜視図、図１３（ａ）は図１１のＰ−Ｐ線における断面図、（ｂ）はＱ−Ｑ線における断面図である。
【０００４】
同図において、１は上方開口の凹部１Ａを備えた略方形の樹脂からなるスイッチケースで、図１４のスイッチケースの上面図に示すように、略円形の凹部１Ａの内底面には、二つの電気的に独立した周辺接点２およびこれよりも少し低い中央接点３が露出状態でインサート成形により固定されていると共に、各固定接点とそれぞれ導通した接続用端子２Ａ、２Ｂおよび３Ａはスイッチケース１の外周側部に突出して導出されている。なお、接続用端子６Ａはダミー端子であり、これもスイッチケース１の外周側部に突出して設けられている。
【０００５】
また、凹部１Ａを構成する側壁の対向した位置には、一対の段状の可動接点受け部４およびそれと直交する位置に一対の切り欠き溝部５が設けられている。
【０００６】
そして、７は弾性薄板金属板をプレス加工して形成された可動接点で、その形状は図１５（ａ）および（ｂ）の平面図および側面図に示すように、上方に球面状に湾曲した中央の円板部８と、この外方に一定の間隔をあけて同心円状に配された円形のリング状部１０と、中心に対して対称位置に一対で配され、円板部８側が高くなるように上記円板部８と上記リング状部１０とを繋ぐ傾斜した連結部９と、連結部９と同一直径上でリング状部１０から外方に直線状で突出させて設けられた一対の突出部１１とからなっている。上記リング状部１０は、連結部９と直角な対向した二ヶ所の位置が頂点部１０Ｂとなるように上方への略Ｖ字状に湾曲形成されている。
【０００７】
そして、この可動接点７は、図１６のスイッチケース１内に可動接点７を装着した状態の上面図に示すように、湾曲突部側が上方となるようにして突出部１１が切り欠き溝部５内に挿入されると共に、図１３（ｂ）に示すように、リング状部１０のＶ字曲げ部分の側部１０Ａが可動接点受け部４上に載置されてスイッチケース１の凹部１Ａ内に配されている。
【０００８】
そして、スイッチケース１の上面は、可撓性を備えた絶縁フィルム製のシート１２で覆われ、さらにその上から金属カバー１３がスイッチケース１に対して取り付けられている。なお、シート１２は、金属カバー１３の下面とスイッチケース１上端面およびその上端面に凹部１Ａ周囲を囲むようにして配された小突起１Ｂで挟持されつつ保持されている。
【０００９】
そして、金属カバー１３は、図１１などに示すように、枠状平坦部１３Ａから中央側に延びる一対の弾性アーム１３Ｂを備え、その弾性アーム１３Ｂを介して繋げられた中央の押圧部１３Ｃを有している。なお、押圧部１３Ｃは、外形が略円形で、その中央位置に下方に突出する下方凸部１３Ｄが設けられている。
【００１０】
このように構成された従来のプッシュオンスイッチは、通常状態では、図１３に示したように、可動接点７が周辺接点２および中央接点３に対して離れているため、スイッチオフ状態となっている。
【００１１】
次に、上記プッシュオンスイッチの押圧操作時の動作について、図１７（ａ）、（ｂ）および図１８（ａ）、（ｂ）の断面図を用いて説明する。なお、図１７（ａ）および図１８（ａ）は図１１のＰ−Ｐ線における断面図、図１７（ｂ）および図１８（ｂ）は同Ｑ−Ｑ線における断面図である。また、それらの図面は、判り易くするため金属カバー１３を要部のみの図示としている。
【００１２】
まず、金属カバー１３の押圧部１３Ｃに上方から軽い押し下げ力を加えると、押圧部１３Ｃが下がりシート１２上から可動接点７の円板部８を下方凸部１３Ｄで押圧していく。その押圧力が所定の力を超えた時に、可動接点７は、図１７（ａ）および（ｂ）に示すように、まず円板部８は球面状のままでリング状部１０の可動接点受け部４に載った部分が支点となって、リング状部１０が節度を伴って凹状に反転して、二つの連結部９の円板部側根元部分が二つの電気的に独立した周辺接点２にそれぞれ接触する。この一段目動作で、可動接点７を介して二つの周辺接点２の間すなわち接続用端子２Ａおよび２Ｂの間が電気的に導通した第一スイッチのオン状態となる。
【００１３】
そして、この状態からさらに押圧部１３Ｃを押し下げ可動接点７の円板部８をシート１２上から押し下げると、図１８（ａ）および（ｂ）に示すように、今度は、外周部分が周辺接点２上に載った円板部８が節度を伴いながら下膨らみ状態に反転動作し、円板部８の中央部下面が中央接点３に接触する。この二段目動作で、第一スイッチとして短絡した二つの周辺接点２に加えて中央接点３との間すなわち接続用端子２Ａ、２Ｂに加えて接続用端子３Ａとの間も電気的に導通した第二スイッチのオン状態になる。
【００１４】
この後、押圧部１３Ｃへの押し下げ力を除くと、可動接点７の円板部８への押圧力が解除され、まず円板部８がその弾性復元力により上方突状の球面状態に復元することによって、その中央部下面が中央接点３から離れ第二スイッチがオフ状態に戻り、続いて連結部９が円板部８側が高くなる傾斜状態に戻ることにより円板部側根元部分が周辺接点２から離れて第一スイッチもオフ状態に戻る。また、その可動接点７の復帰動作と共にシート１２や押圧部１３Ｃに繋がる弾性アーム１３Ｂも元の位置に復帰するものであった。上記操作時における操作ストロークと各スイッチのオンタイミングなどの遷移状態をまとめて図１９に示す。
【００１５】
そして、この従来のプッシュオンスイッチは、例えばデジタルスチルカメラなどのシャッター部分用のスイッチとして搭載され、軽い押圧操作状態で得られる第一スイッチからのオン信号で被写体へのピント調整が行われ、さらに強く押圧操作して得られる第二スイッチのオン信号でシャッターをきるように使用されることが多いものであった。
【００１６】
なお、この出願の発明に関連する先行技術文献情報としては、例えば、特許文献１が知られている。
【特許文献１】特開平１１−２３２９６２号公報
【発明の開示】
【発明が解決しようとする課題】
【００１７】
上記従来のプッシュオンスイッチは、上述したようにカメラのシャッター部分などに特に好適なものであったため、様々なカメラに搭載されていた。その一方で、デジタルスチルカメラやビデオカメラなどが普及するにつれて、カメラとしても機能向上が図られると共に、より使い易いものとする工夫が様々なされるようになってきた。
【００１８】
例えば、現在では手振れ防止機能が付加されたものが好まれ、その手振れ防止機能を備えたカメラに対し上記従来のプッシュオンスイッチをシャッター部分や録画開始ボタン部分などに使用する場合には、第一スイッチのオン信号で手振れ防止機能をピント調整とともに作動させるよう制御すればよいが、その作動状態を維持するには、スイッチの一度目の節度感触が得られた後、引き続いてその押圧状態のままで維持しておかなければならない。このとき、第一スイッチのオン状態を維持させるために必要な操作力は軽くて使い易いものではあったが、例えば動きながらの撮影時などではその軽い操作力であっても指が操作部分から若干外れかかかったりして上記操作状態が解除されることなどもあり、その改善が図れる動作仕様のプッシュオンスイッチへの開発要望が高まってきた。
【００１９】
本発明は、このような従来の課題を解決するものであり、第一スイッチをオン状態に移行させる操作力が従来のものに対し、さらに軽くてその操作状態の維持も容易な多段動作仕様のプッシュオンスイッチを提供することを目的とする。
【課題を解決するための手段】
【００２０】
上記目的を達成するために本発明は、以下の構成を有するものである。
【００２１】
本発明の請求項１に記載の発明は、上方開口の凹部の内底面に、中央接点及びこれから等距離の位置に配された二つの周辺接点、また上記周辺接点の外側位置に少なくとも一つの外側接点部を備えた絶縁樹脂製のスイッチケースと、上方に球面状に湾曲した円板部及びその外方に一定の間隔をあけて可撓性を有する細巾の連結部で同心円状に繋がれたリング状部とそのリング状部から外側に突出形成された突出部を有し、上記リング状部が上記スイッチケースの凹部内に設けられた段状の可動接点受け部に載せられて上記円板部の外周が上記各周辺接点の上方に所定の間隔をあけて位置すると共に、上記突出部が上記外側接点部に常接状態で配された弾性金属板製の可動接点と、上記スイッチケースの凹部を覆うように配された中央貫通孔付きのシートと、上記シート上から上記スイッチケースに結合され、上記シートの中央貫通孔内の位置に応じた上記可動接点の円板部部分に対しその上方に所定間隔を維持して配される上下動可能な押圧部を有するカバー端子付きの金属カバーとからなるプッシュオンスイッチとしたものである。
【００２２】
上記構成であれば、金属カバーの押圧部への操作で上記押圧部が下がって可動接点の円板部部分に接触して第一スイッチがオン状態に移行するものにでき、その押圧部の移動に必要な力を従来のものよりもさらに軽い力で動作するものとして構成できるという作用を有する。また、上記状態から、軽い操作力でさらに押圧操作すると、可動接点が各周辺接点に接触して周辺接点どうし間が導通した第二スイッチのオン状態に移行し、続けてさらに強く押圧操作すると、可動接点の円板部の反転動作により可動接点に対して中央接点も接触した第三スイッチのオン状態に切り換わるものに構成できるという作用を有する。
【００２３】
請求項２に記載の発明は、請求項１記載の発明において、外側接点部が、周辺接点の一方側に導通状態で配されたものであり、第二スイッチのオン状態で第一スイッチも確実にオン状態であるものに構成できるという作用を有する。
【００２４】
請求項３に記載の発明は、請求項１記載の発明において、シートの中央貫通孔の周囲下面を、全周に亘る円形リング状で可動接点の円板部上に粘着保持させたものであり、防塵性の高いものに構成できるという作用を有する。
【発明の効果】
【００２５】
以上のように本発明によれば、第一スイッチのオン状態に移行させる操作力が従来のものに対し、さらに軽くてその操作状態の維持も容易な多段動作仕様のプッシュオンスイッチを得ることができるという有利な効果が得られる。
【発明を実施するための最良の形態】
【００２６】
以下、本発明の実施の形態につき図面を用いて説明する。なお、従来と同一構成の部分には、同一符号を付して詳細な説明は省略する。
【００２７】
（実施の形態）
図１および図２は本発明の一実施の形態によるプッシュオンスイッチの断面図、図３は同外観斜視図、図４は同分解斜視図、図５は同スイッチケースの上面図である。なお、図１は図３のＲ−Ｒ線における断面図、また、図２は図３のＳ−Ｓ線における断面図を示している。
【００２８】
同図において、２１は、略方形の樹脂からなるスイッチケースであり、上方開口の凹部２１Ａを備えている。その凹部２１Ａは、スイッチケース２１の外形における一方の対向する角部位置に切り欠き溝部２２、２３を有した従来同様の略円形に構成されている。また、凹部２１Ａを構成する側壁における上記切り欠き溝部２２、２３と直交する位置には、一対の段状の可動接点受け部２４が設けられている。
【００２９】
また、凹部２１Ａの内底面の中央位置には、従来同様に中央接点３がインサート成形で固定されている。また、その周辺位置には、中央接点３から等距離の位置に二つの電気的に独立した周辺接点３１および３２がインサート成形で露出状態に固定されている。なお、周辺接点３１、３２と中央接点３との高さ関係は従来のものと同じである。
【００３０】
そして、一方の周辺接点３１は、対応する一方の切り欠き溝部２２の方向に向かって引き回されて切り欠き溝部２２の底部を構成している。その切り欠き溝部２２の底部位置にあたる部分は凹部２１Ａの内底面より上方側に突出形成されており、当該切り欠き溝部２２の底部部分が、外側接点部４１としてなる。
【００３１】
また、他方の周辺接点３２は、従来同様に、対応する他方の切り欠き溝部２３の底部から外れる方向に向かってスイッチケース２１内に埋設状態で引き回されている。
【００３２】
なお、中央接点３に導通した接続用端子３Ａはスイッチケース２１の外周側部に突出して導出され、また周辺接点３１と外側接点部４１に導通した接続用端子３１Ａおよび周辺接点３２に導通した接続用端子３２Ａもそれぞれ独立してスイッチケース２１の外周側部に突出して導出されている。なお、６Ａはダミー端子として配された接続用端子である。
【００３３】
そして、上記凹部２１Ａ内には、従来同様に可動接点７が収容されている。この可動接点７としては、直線状に突出形成された各突出部１１が若干下方側に所定角度で曲げ形成された点のみ従来のものと異なるため、当該可動接点７における各部位の符号は従来のままで説明を行う。また、その詳細構成についての説明は省略する。
【００３４】
そして、その可動接点７は、従来同様に中央の円板部８の湾曲突部側およびその周囲に同心で繋がれた円形のリング状部１０のＶ字曲げ部分における頂点部１０Ｂ側を上方に向けて、各突出部１１を切り欠き溝部２２、２３に挿入させ、図２に示すように、リング状部１０のＶ字曲げ部分の側部１０Ａが可動接点受け部２４上に載置されるようにしてスイッチケース２１の凹部２１Ａ内に配されている。
【００３５】
このとき、切り欠き溝部２２に応じた一方の突出部１１の下端は、切り欠き溝部２２の底部を構成している外側接点部４１上に常接している。また、切り欠き溝部２３内に位置する他方の突出部１１も、その下端が切り欠き溝部２３の底部に当接している。なお、他方の突出部１１の方は、若干の間隔があいた対峙状態に配されてあってもよい。
【００３６】
そして、５０は、弾性を有するゴム製または絶縁フィルム製のシートであり、このシート５０は、可動接点７の円板部８よりも小径で円形に形成された中央貫通孔５０Ａを備え、その中央貫通孔５０Ａが上記円板部８の中心に合わせて配され、シート５０の周囲部分が従来同様にその上から配された金属カバー１３の枠状平坦部１３Ａ下面とスイッチケース２１上端面およびその上端面に凹部２１Ａ周囲を囲むようにして配された小突起２１Ｂ（図４および図５参照）で挟持されて保持されている。なお、シート５０の中央貫通孔５０Ａの周囲下面を全周に亘る円形リング状で円板部８上に粘着保持させておくと防塵性に優れるものにできる。また、シート５０の周囲部分をスイッチケース２１上端面に粘着保持させてもよい。
【００３７】
なお、金属カバー１３は、いわゆるアース端子としてなるカバー端子１３Ｅ付きのものを用いている。その他の構成部分は、従来のものと同じである。このため、可動接点７と同様に、当該金属カバー１３における各部位の符号も従来のままで説明を行うと共に、その詳細構成についての説明は省略する。
【００３８】
そして、金属カバー１３における押圧部１３Ｃは、その下方凸部１３Ｄの下面が、中央貫通孔５０Ａ内の位置に応じた円板部８の頂点部に対し、上下方向で所定間隔が空くように対峙している。なお、中央貫通孔５０Ａは、下方凸部１３Ｄよりも大きい形状に設けられている。
【００３９】
本発明によるプッシュオンスイッチは以上のように構成され、次にその動作について説明する。
【００４０】
まず、図１および図２に示した通常状態では、当該プッシュオンスイッチは、スイッチオフ状態になっている。この状態では、可動接点７が、外側接点部４１のみに接触し、中央接点３や周辺接点３１および３２には接触していない状態である。
【００４１】
そして、上記状態において、金属カバー１３の押圧部１３Ｃ上に指などを載せるなどしてソフトタッチすると、弾性アーム１３Ｂで繋がれた中央の押圧部１３Ｃは若干下方に下がる。そして、図６に示すように、シート５０の中央貫通孔５０Ａ内の位置に応じた円板部８部分に対して下方凸部１３Ｄの下面が当接し、この一段目動作により、金属カバー１３と可動接点７との間すなわちカバー端子１３Ｅと接続用端子３１Ａとの間が電気的に導通した第一スイッチのオン状態となる。
【００４２】
なお、図６（ａ）は、第一スイッチの動作状態を説明する図３のＲ−Ｒ線における断面図、図６（ｂ）は同Ｓ−Ｓ線における断面図である。また、上記操作時における操作ストロークと各スイッチのオンタイミングなどの遷移状態をまとめて図７に示す。
【００４３】
なお、図７からも判るように、第一スイッチのオン状態への移行は非常に軽くて弱い操作力で、しかも操作ストロークも非常に短く設定されたものにできる。例えば、金属カバー１３の下方凸部１３Ｄと可動接点７の円板部８における頂点部との上下間隔を０．０５ｍｍ〜０．２ｍｍであけて対峙させたものであれば、それに応じた下方凸部１３Ｄの下方への移動で上記第一スイッチがオン状態に移行するものにできる。なお、押圧部１３Ｃとしては、非操作時に第一スイッチが押圧部１３Ｃの自重などで撓んで不用意にオン状態に移行しないよう枠状平坦部１３Ａから延設された弾性アーム１３Ｂの根元に折曲部などを配し押圧部１３Ｃが上方側に持ち上げられて維持されている構成などとしておくことが好ましい。
【００４４】
また、上記構成のものの場合には、第一スイッチのオン状態で、押圧部１３Ｃでシート５０を押し下げないよう下方凸部１３Ｄの突出量などを設定しておくと、金属カバー１３の弾性アーム１３Ｂのみのばね力、つまり非常に小さい力で第一スイッチの状態が切り換わるものにできる。このように当該構成であれば、一段目動作での押圧部１３Ｃの移動に必要な力を従来のものよりもさらに軽い力として設定することも容易である。なお、金属カバーにおける押圧部の構成方式は、上記のもの以外であってもよい。
【００４５】
そして、上記状態から従来同等の軽い力で金属カバー１３の押圧部１３Ｃに押し下げ力を加えると、可動接点７の円板部８に押圧力がさらに加わっていき、可動接点７は、図８（ａ）および（ｂ）に示すように、まず円板部８は球面状のままでリング状部１０の可動接点受け部２４に載った部分が支点となり、リング状部１０が凹状に反転変移していく。この押圧部１３Ｃの下方への移動に応じてシート５０も中央貫通孔５０Ａを中心に撓んでいく。そして、上記リング状部１０の反転変移により円板部８とリング状部１０との間を繋ぐ二つの連結部９の各円板部側根元部分が周辺接点３１および３２にそれぞれ接触する。この二段目動作により、カバー端子１３Ｅと接続用端子３１Ａに加え、接続用端子３２Ａも導通した第二スイッチのオン状態となる。
【００４６】
このとき、周辺接点３１と外側接点部４１とを導通させて配した当該構成のものにおいては、第二スイッチのオン状態で第一スイッチも確実にオン状態となっている。なお、上記リング状部１０の反転変移に際し節度感が得られるものとしてもよいが、いずれの場合であっても、上記動作中および動作後を含めて、外側接点部４１に常接させて配された上記一方の突出部１１の接触状態が維持されるようにしておくことが好ましく、これにより上記第一スイッチのオン状態は維持されたままで第二スイッチのオン状態への移行がなされるものにできる。
【００４７】
なお、図８（ａ）は、第二スイッチの動作状態を説明する図３のＲ−Ｒ線における断面図、図８（ｂ）は、同Ｓ−Ｓ線における断面図であり、従来同様に以下の動作図を含め金属カバー１３は要部のみの図示としている。
【００４８】
そして、その状態からさらに押圧部１３Ｃを押し下げ可動接点７の円板部８を下方凸部１３Ｄで押し下げると、図９（ａ）および（ｂ）に示すように、今度は、外周部分が周辺接点３１、３２上に載った円板部８が節度を伴いながら下膨らみ状態に反転動作する。上記円板部８の動作に応じて、シート５０も、その中央貫通孔５０Ａを中心にさらに引っ張られる。そして、上記円板部８の反転動作によって、円板部８の中央部下面が中央接点３に接触する。この三段目動作により、可動接点７を介してカバー端子１３Ｅ、接続用端子３１Ａ、３２Ａに加え中央接点３の接続用端子３Ａも電気的に導通した第三スイッチのオン状態になる。なお、図９（ａ）は、第三スイッチの動作状態を説明する図３のＲ−Ｒ線における断面図、図９（ｂ）は、同Ｓ−Ｓ線における断面図である。
【００４９】
なお、同図に示したように、この第三スイッチの動作時に、外側接点部４１に一方の突出部１１が常接状態で維持され、かつ上記外側接点部４１に導通状態で配された周辺接点３１と周辺接点３２とで可動接点７の円板部８の外周部分を受けて円板部８の動作がなされる構成としておけば、第一スイッチや第二スイッチのオン状態は維持されたまま第三スイッチが切り換わるものにできる。
【００５０】
なお、上記動作時にシート５０が中央側に外れることなどをなくすため、スイッチケース２１上端の小突起２１Ｂは凹部２１Ａの周囲全周を囲うようにして設けておくことが好ましい。場合によっては二重に設けてあるなどしてもよい。
【００５１】
その後、押圧部１３Ｃへの押し下げ力を除くと、可動接点７の円板部８への押圧力が解除され、円板部８がその弾性復元力によって上方突状の球面状態に復元し、その中央部下面が中央接点３から離れた第三スイッチのオフ状態に戻る。また、それとほぼ同時に、連結部９が円板部８側が高くなる傾斜状態に戻って周辺接点３１、３２の間が電気的に独立した第二スイッチのオフ状態に戻る。さらに、シート５０も、自らの復元力に加え上記可動接点７の復帰動作で押し上げられて元の位置に復帰すると共に、枠状平坦部１３Ａから中央側に延びた一対の弾性アーム１３Ｂも非操作状態の上方位置に戻ることにより、金属カバー１３の押圧部１３Ｃと可動接点７との接触状態が解除された第一スイッチのオフ状態に戻る。
【００５２】
以上のように本発明によるプッシュオンスイッチは、多段動作仕様のもので、その第一スイッチが、操作部分に指を載せる程度の非常に軽くて弱い力でしかも短い操作ストロークでオン状態に移行するものとして実現することができる。
【００５３】
そして、その第一スイッチのオン状態の維持も、操作する指に力を入れることなく指を操作部分に載せ続けるだけでよく、上記操作状態の維持は従来のものよりも容易となる。また、上記のようにソフトタッチして第一スイッチをオン状態としている間に、軽い操作力で操作すると上記第一スイッチのオン状態が維持されつつ第二スイッチがオン状態になり、その後さらに操作力を加えると第三スイッチが節度感触と共にオン状態に切り換わるものとして得ることができる。
【００５４】
次に、本発明によるプッシュオンスイッチの用途につき説明する。その用途としては、従来同様に各種カメラのシャッター部分やビデオカメラの録画開始ボタン部分などに用いることができる。
【００５５】
このとき、手振れ防止機能付きのものに当該スイッチを搭載する際には、上記第一スイッチのオン状態への移行に連動させてピント調整や手振れ防止機能を作動させると使い易いものにできる。
【００５６】
つまり、使用者が、被写体にレンズ方向を合わせてシャッター部分や録画開始ボタン部分に指を載せると、軽く押し込み操作するまでもなく第一スイッチがオン状態となり、それに応じて即座にピント調整や手振れ防止機能が働くものにできるからである。また、上記第一スイッチのオン状態は上記のように操作部分に指を載せているだけで容易に維持されるため、従来のものより操作性に優れたものとなる。さらに、その後の軽い力の押圧操作で第二スイッチが切り換わる際に節度感触が得られるものとしておくと、それにより上記各機能が働いていることを使用者において感触的に認識できるようにもなる。そして、その状態から従来同様にさらに強く押圧操作して第三スイッチをオン状態にしてシャッター動作や録画開始などの所定機能を作動させることができるものとして構成することができる。
【００５７】
なお、本発明によるプッシュオンスイッチであれば、第二スイッチのオン状態への移行でピント調整や手振れ防止機能を作動させる構成としてあっても従来の課題を下記のようにして解決できる。
【００５８】
すなわち、例えば動きながらの撮影時などで指が操作部分から若干外れかかったりして第二スイッチのオン状態が解除されても、当該スイッチにおいては指が操作部分上に載っているのみで第一スイッチのオン状態が維持されるため、機器側の制御として第二スイッチがオフ状態となった後にタイマー機能を働かせ、所定時間内に第一スイッチがオフ状態になる場合を除いてピント調整や手振れ防止機能を作動させ続ける仕様とすれば、ピント調整や手振れ防止機能の不用意な解除が少ないものに構成できる。
【００５９】
なお、本発明によるプッシュオンスイッチはカメラ用途のみに限定されることはなく、例えばＡＶ・ＯＡ機器や各種リモコンなどに搭載して用いられてもよい。
【００６０】
なお、当該プッシュオンスイッチを基として各種派生製品を構成することもできる。
【００６１】
例えば、切り欠き溝部２２の底部部分に外側接点部４１を配したのと同様に、図１０に示すように、他方の切り欠き溝部２３の底部を他方の周辺接点３２からの引き回し部で外側接点部４２として構成したもの、その際に外側接点部４２に対して対応する他方の突出部１１を常接状態としたもの、上記両者間に所定間隔をあけて対峙させた構成のもの、さらには、周辺接点と外側接点部とを互いに独立させて配し、かつ個々に接続用端子を設けたものなどとしてもよい。
【産業上の利用可能性】
【００６２】
本発明によるプッシュオンスイッチは、第一スイッチのオン状態に移行させる操作力が従来のものに対し、さらに軽くてその操作状態の維持も容易な多段動作仕様のものを実現できるという効果を有し、各種電子機器の入力操作部を構成する際などに有用である。
【図面の簡単な説明】
【００６３】
【図１】本発明の一実施の形態によるプッシュオンスイッチの断面図
【図２】同断面図
【図３】同外観斜視図
【図４】同分解斜視図
【図５】同スイッチケースの上面図
【図６】（ａ）同第一スイッチの動作状態を説明する図３のＲ−Ｒ線における断面図、（ｂ）同Ｓ−Ｓ線における断面図
【図７】同プッシュオンスイッチの操作時における遷移状態を示す図
【図８】（ａ）同第二スイッチの動作状態を説明する図３のＲ−Ｒ線における断面図、（ｂ）同Ｓ−Ｓ線における断面図
【図９】（ａ）同第三スイッチの動作状態を説明する図３のＲ−Ｒ線における断面図、（ｂ）同Ｓ−Ｓ線における断面図
【図１０】同他の構成としたものの断面図
【図１１】従来のプッシュオンスイッチの外観斜視図
【図１２】同分解斜視図
【図１３】（ａ）同図１１のＰ−Ｐ線における断面図、（ｂ）同Ｑ−Ｑ線における断面図
【図１４】同スイッチケースの上面図
【図１５】（ａ）同可動接点の平面図、（ｂ）同側面図
【図１６】同スイッチケース内に可動接点を装着した状態の上面図
【図１７】（ａ）同第一スイッチの動作状態を説明する図１１のＰ−Ｐ線における断面図、（ｂ）同Ｑ−Ｑ線における断面図
【図１８】（ａ）同第二スイッチの動作状態を説明する図１１のＰ−Ｐ線における断面図、（ｂ）同Ｑ−Ｑ線における断面図
【図１９】同プッシュオンスイッチの操作時における遷移状態を示す図
【符号の説明】
【００６４】
３  中央接点
３Ａ、６Ａ、３１Ａ、３２Ａ  接続用端子
７  可動接点
８  円板部
９  連結部
１０  リング状部
１０Ａ  側部
１０Ｂ  頂点部
１１  突出部
１３  金属カバー
１３Ａ  枠状平坦部
１３Ｂ  弾性アーム
１３Ｃ  押圧部
１３Ｄ  下方凸部
１３Ｅ  カバー端子
２１  スイッチケース
２１Ａ  凹部
２１Ｂ  小突起
２２、２３  切り欠き溝部
２４  可動接点受け部
３１、３２  周辺接点
４１、４２  外側接点部
５０  シート
５０Ａ  中央貫通孔
【図１】
0004513688.tif 000002
【図２】
0004513688.tif 000003
【図３】
0004513688.tif 000004
【図４】
0004513688.tif 000005
【図５】
0004513688.tif 000006
【図６】
0004513688.tif 000007
【図７】
0004513688.tif 000008
【図８】
0004513688.tif 000009
【図９】
0004513688.tif 000010
【図１０】
0004513688.tif 000011
【図１１】
0004513688.tif 000012
【図１２】
0004513688.tif 000013
【図１３】
0004513688.tif 000014
【図１４】
0004513688.tif 000015
【図１５】
0004513688.tif 000016
【図１６】
0004513688.tif 000017
【図１７】
0004513688.tif 000018
【図１８】
0004513688.tif 000019
【図１９】
0004513688.tif 000020